(57)【要約】      （修正有）【課題】屋外環境に適したテントとテーブルの一体型とした新規な屋外用テントを提供する。【解決手段】屋外用テントは、テーブル１の天板２に支柱挿通孔４を形成する。この支柱挿通孔４に支柱８を挿通すると共に、直下に設けた支持手段５で支柱８の下端部を支持して立設する。可撓性を有し、中央を交差させて四方向へ先部を延伸させたシート張設用の骨材９Ａ、９Ｂを、その中央の交差部で支柱８の上端部に冠設する。この骨材９Ａ、９Ｂの先端部に遮熱シート１０の周端部を係止し、骨材９Ａ、９Ｂを支承腕としてテーブル１上に遮熱シート１０を張設する。【選択図】図３
0003163157.tif 000002
【実用新案登録請求の範囲】
【請求項１】
テーブルの天板に支柱挿通孔を形成し、支柱を挿通すると共に、直下に設けた支持手段で支柱の下端部を支持して立設したこと、可撓性を有し、中央を交差させて四方向へ先部を延伸させたシート張設用の骨材を、その中央の交差部で支柱の上端部に冠設したこと、この骨材の先端部に遮熱シートの周端部を係止し、骨材を支承腕としてテーブル上に遮熱シートを張設したことを特徴とする屋外用テント。
【請求項２】
テーブルの天板の下方に棚板を並設し、この棚板に設けた凹穴を係止手段としたことを特徴とする請求項１記載の屋外用テント。
【請求項３】
ドーム型の形態を成し、下端面から等間隔で四箇所に切欠溝を形成した取付部材を支柱に冠着し、隣り合う二つの切欠溝に挿通した一方の骨材と、取付部材の表面に接して通る他方の骨材とを結着し、取付部材を挟持するように中央部が固定された一組の骨材を四組形成し、切欠溝に関係して重合する各組骨材を結着すると共に、同一方向の各組骨材の先端部同士も結着したことを特徴とする請求項１又は２記載の屋外用テント。
【請求項４】
遮熱シートに防水シートを着脱可能に被設したことを特徴とする請求項１乃至３のいずれかに記載の屋外用テント。
【請求項５】
遮熱シートと防水シートの当接面の要部に対応して面ファスナーを配置し、着脱可能としたことを特徴とする請求項４記載の屋外用テント。
【請求項６】
遮熱シートの周端部に連結部材を設け、隣設設置した複数の屋外テント同士を連設したことを特徴とする請求項１乃至５のいずれかに記載の屋外用テント。
【考案の詳細な説明】
【技術分野】
【０００１】
本考案は屋外用テントに関するものであり、特にテーブルとの一体性の強い屋外用テントである。
【背景技術】
【０００２】
屋外用テントは各種用途に利用されており、例えばイベントにおける物品販売、屋外パーティー等においては、物品や料理等の載置台がテント内に設置され、直射日光や雨に晒されないようにしている。
そして、この様な場合には、テントとテーブル等は個々に用意され、設置したテント内にテーブル・机を配置することとなる。
【０００３】
そこで、テントとテーブルを関連つけた従来技術として、例えば特開２００２−１７８６９９号では、下端に固定具を有し、適当な間隔をもって、前記固定具を介してテーブル縁部などに脱着可能に立設固定される１対の支柱と、該支柱の上部に脱着可能に取り付けられるテント張設用フレームと、該テント張設用フレームに張設されるテント幕とを備えることが開示されている。
【先行技術文献】
【特許文献】
【０００４】
【特許文献１】特開２００２−１７８６９９号
【考案の概要】
【考案が解決しようとする課題】
【０００５】
上記公報の発明は、屋内におけるパーティー会場内に設置されるドリンク類や料理のサービステーブル、花などを飾るためのテーブルなどに好適なテーブル装飾用簡易テントに関するものである。
したがって、そのまま屋外に設置しても、屋外環境を配慮した構成にはなっておらず問題が生じる。
【０００６】
そこで、本考案は屋外環境に適したテントとテーブルの一体型とした新規な屋外用テントを提供せんとするものである。
【課題を解決するための手段】
【０００７】
本考案の請求項１の屋外用テントは、テーブルの天板に支柱挿通孔を形成し、支柱を挿通すると共に、直下に設けた支持手段で支柱の下端部を支持して立設したこと、可撓性を有し、中央を交差させて四方向へ先部を延伸させたシート張設用の骨材を、その中央の交差部で支柱の上端部に冠設したこと、この骨材の先端部に遮熱シートの周端部を係止し、骨材を支承腕としてテーブル上に遮熱シートを張設したことを特徴とするものである。
【０００８】
請求項２の屋外用テントは、請求項１において、テーブルの天板の下方に棚板を並設し、この棚板に設けた凹穴を係止手段としたことを特徴とするものである。
【０００９】
請求項３の屋外用テントは、請求項１又は２において、ドーム型の形態を成し、下端面から等間隔で四箇所に切欠溝を形成した取付部材を支柱に冠着し、隣り合う二つの切欠溝に挿通した一方の骨材と、取付部材の表面に接して通る他方の骨材とを結着し、取付部材を挟持するように中央部が固定された一組の骨材を四組形成し、切欠溝に関係して重合する各組骨材を結着すると共に、同一方向の各組骨材の先端部同士も結着したことを特徴とするものである。
【００１０】
請求項４の屋外用テントは、請求項１乃至３のいずれかにおいて、遮熱シートに防水シートを着脱可能に被設したことを特徴とするものである。
【００１１】
請求項５の屋外用テントは、請求項４において、遮熱シートと防水シートの当接面の要部に対応して面ファスナーを配置し、着脱可能としたことを特徴とするものである。
【００１２】
請求項６の屋外用テントは、請求項１乃至５のいずれかにおいて、遮熱シートの周端部に連結部材を設け、隣設設置した複数の屋外テント同士を連設したことを特徴とするものである。
【考案の効果】
【００１３】
請求項１の考案は、テーブルの天板に支柱挿通孔を形成し、支柱を挿通すると共に、直下に設けた支持手段で支柱の下端部を支持して立設したため、支柱挿通孔で支柱の直立を維持し、支持手段で支承して安定した起立を確保できる効果を有する。
【００１４】
また、シートを被設する骨材は、可撓性を有し中央を交差させて四方向へ先部を延伸させて形成し、中央の交差部を支柱の上端部に冠設したため、骨材が支柱にバランスよく冠設されると共に、骨材が適度に先部へ傾斜して弛み、四方向に伸びてシートの要となる部位と接して安定した支承を得られる効果を発揮する。
【００１５】
さらに、遮熱シートとすることで、直射日光を遮り屋外での使用に資する効果を有する。
【００１６】
請求項２の考案は、請求項１の効果に加え、テーブルの天板の下方に棚板を並設し、この棚板に設けた凹穴を係止手段としたため、凹穴で支柱の下端を確実に位置決めして支持できる効果を発揮する。
【００１７】
請求項３の考案は、請求項１又は２の効果に加え、一組の骨材は、凹欠溝に挿通した一方の骨材と他方の骨材とを取付部材を挟持して結着するため、一体化して位置決めされる効果があり、二本の骨材を一組として同一方向の二組の骨材の先端部同士も結着したため、支柱からの伸びた四本の骨材で支承腕が形成されることとなり、充分な強度と支承力が得られる効果となる。
【００１８】
切欠溝に関係して重合する各組骨材を結着するため、交差する骨材同士も結着して互いの位置を固定する効果を得られる。
骨材の可撓性は、シートの重みを分散して支承する効果があると共に、上記の各結着に支障な対応して一体性を確保する効果を有する。
【００１９】
請求項４の考案は、請求項１乃至３のいずれかの効果に加え、遮熱シートに防水シートを着脱可能に被設したため、必要に応じて防水シートを被設して降雨時にも使用できる効果を有する。
そして、請求項５の考案は、請求項４の効果に加え、遮熱シートと防水シートの当接面の要部に対応して面ファスナーを配置したため、が極めて容易に行える効果を有する。
【００２０】
請求項６の考案は、請求項１乃至５のいずれかの効果に加え、遮熱シートの周端部に連結部材を設けたため、隣設設置した複数の屋外テント同士を連設してテントの広さを自在に設定することが容易となる効果を有する。
【図面の簡単な説明】
【００２１】
【図１】本考案の一実施の形態を示す正面図である。
【図２】テントの裏面図である。
【図３】図１のテーブルの対角線上の縦断正面図である。
【図４】取付部材の一実施の形態を示す平面図である。
【図５】遮熱シートの一実施の形態を示す平面図である。
【図６】防水シートの一実施の形態を示す一部折り返した平面図である。
【考案を実施するための形態】
【００２２】
本考案の実施の形態はテーブル１とテント７の構成部分から成っている。
【００２３】
図１に示すように、テーブル１の天板２の四隅には脚３が下設され、脚２の下部には棚板４並設されている。
図１及び図３に示すように、天板２の中央部には支柱挿入孔５が穿設してあり、後述のテント７の支柱８を挿通可能とし、また、棚板４の中央部で支柱挿入孔５の直下に凹穴６が形成してあり、支柱８の下端を係止し、支柱８を支柱挿入孔５と共働して支承する。
【００２４】
図２又は図３に示すように、テント７は支柱８、骨材９及び遮熱シート１０より構成され、支柱８に四方へ伸びた骨材９が冠設し、骨材９に遮熱シート１０が張設してテーブル１上を被覆するものである。
【００２５】
図４に示すように、支柱８の上端部には取付部材１１がビス止め１３して冠着してあり、取付部材１１は図３又は図４に示すようにドーム型の形態を成し、下端面から等間隔で四箇所に切欠溝１２が形成してある。
図２に示すように、この取付部材１１に、可撓性を有し、中央を交差させて四方向へ先部を延伸させたシート張設用の骨材９を、その中央の交差部に関係して連結してある。
【００２６】
図２又は図３に示すように、隣り合う二つの切欠溝１２に挿通した一方の骨材９Ａと、取付部材１１の表面に接して通る他方の骨材９Ｂとを紐体１４で結着し、取付部材１１を挟持するように中央部が固定された一組の骨材９Ａ、９Ｂを四組形成し、切欠溝１２に関係して重合する各組骨材９を結着すると共に、同一方向の各組骨材９の先端部同士も結着してある。
【００２７】
骨材９は可撓性を有するため、各骨材同士の紐体１４による結着を強固に成し得るものであり、また、遮熱シート１０を張設すると先端部分が適度に撓んで緩いドーム状となるものである。
【００２８】
遮熱シート１０と骨材９との連結は、遮熱シート１０の四隅裏面に設けた袋部１５に二組の骨材９の先端部を挿入して係止し、遮熱シート１０を骨材９で張設している。
遮熱シート１０は、例えば、太陽光線反射加工を施された繊維素材で簾状に形成し、軽くて通気性及び遮熱性を有するシート、或いは、生地の表面にアルミ箔を蒸着コーティングして遮熱性を付与したシート等を使用することもできる。
【００２９】
図面の実施の形態例では、テーブル１の天板２及び遮熱シート１０は矩形であるけれど、この形状に限定されるものでなく正方形や円形等の任意に設計でき、形状に応じて周囲に必要数の脚が下設されることになる。
又、遮熱シート１０の周縁に、繊維製ベルトを使用した補強用縁部材を縫着又は接着剤等で固着してもよく、該当部に鳩目を設けて骨材９の先端部と紐体で結着して係止することもできる。
【００３０】
そして、図５に示すように遮熱シート１０の表面の周縁の適宜位置に適宜数の面ファスナー１６を設け、図６に示すように同一形状の防水シート１７の裏面対応部にも面ファスナー１６を取り付けることにより、遮熱シート１０に防水シート１７を積層して雨天時にも対応できるものとることができる。
【００３１】
さらに、遮熱シート１０の周端部に連結部材１８である面ファスナーを突設し、同様の本願のテントを連続して設置し、隣設するテント同士を連結部材１８で連結することで共通空間のテントを形成することが容易となり、テントの広さを自在に設定することができる。
【００３２】
尚、本考案は上記図面の実施形態に何ら限定されるものではなく、本考案の趣旨を逸脱しない範囲内で種々改良変形が可能である。
【符号の説明】
【００３３】
１              テーブル
２              天板
３              脚
４              棚板
５              支柱挿入孔
６              凹穴
７              テント
８              支柱
９、９Ａ、９Ｂ  骨材
１０            遮熱シート
１１            取付部材
１２            切欠溝
１３            ビス止め
１４            紐体
１５            袋部
１６            面ファスナー
１７            防水シート
１８            連結部材
【図１】
0003163157.tif 000003
【図２】
0003163157.tif 000004
【図３】
0003163157.tif 000005
【図４】
0003163157.tif 000006
【図５】
0003163157.tif 000007
【図６】
0003163157.tif 000008